(57)【特許請求の範囲】
【請求項１】
モータと、
前記モータを収容するハウジングと、
前記モータへと給電を行うスイッチと、
前記ハウジングに対して移動可能に設けられ、前記スイッチを操作可能なスイッチレバーと、
前記スイッチレバーに対して移動可能に設けられるオフロックレバーと、を有する電動工具であって、
前記オフロックレバーは前記モータの軸方向に延びており、
前記スイッチレバーには前記オフロックレバーを操作する操作部が設けられており、
前記オフロックレバーは、前記ハウジングと係合する第１の係合部及び第２の係合部を有し、
前記第２の係合部は、前記第１の係合部及び前記操作部から前記モータの軸方向に離間していることを特徴とする電動工具。
【請求項２】
モータと、
前記モータを収容するハウジングと、
前記ハウジングの一端側に設けられるギヤ部と、
前記ギヤ部に接続される先端工具保持部と、
前記ハウジングの他端側に設けられる給電部と、
前記給電部と前記モータの間に設けられるスイッチと、
前記ハウジングに対して移動可能に設けられ、前記スイッチを操作可能なスイッチレバーと、
前記スイッチレバーに対して移動可能に設けられ、前記モータの軸方向に延びるオフロックレバーと、を有する電動工具であって、
前記オフロックレバーの操作部を、前記スイッチレバーの一端側と他端側の中ほどに設け、
前記オフロックレバーの他端側の端部を、前記ハウジングの他端側と係合可能に設けたことを特徴とする電動工具。
【請求項３】
前記オフロックレバーは、前記他端側へと付勢されていることを特徴とする請求項１記載の電動工具。
【請求項４】
モータと、
前記モータへと給電を行うスイッチと、
前記モータを収容し、前後方向に延びるハウジングと、
前記ハウジングに移動可能に設けられ、前記スイッチを操作可能なスイッチレバーと、
前記スイッチレバーに対して移動可能に設けられ、前記モータの軸方向に延びるオフロックレバーと、を有する電動工具であって、
前記オフロックレバーは、前記オフロックレバーを操作する操作部と、前記モータの軸方向に離間した位置に配置される係合部とを有し、
前記係合部は、前記ハウジングと係合可能であることを特徴とする電動工具。
【請求項５】
前記スイッチは、後部より突出し、スイッチのオン・オフを操作する突出部を有し、
前記スイッチレバーは、前後方向に延びており、前記突出部を操作可能であることを特徴とする請求項４記載の電動工具。
【請求項６】
前記ハウジングは、前記モータを収容するモータハウジングと、前記スイッチを収容するテールカバーとを有し、
前記テールカバーの前部に、前記操作部が配置されており、
前記オフロックレバーは、後方へと延びるキーを有しており、
前記キーは、テールカバーの後部と係合可能であることを特徴とする請求項４記載の電動工具。
【請求項７】
前記スイッチレバーの変形を防止する係合部をオフロックレバーに設けたことを特徴とする請求項６記載の電動工具。
【発明の詳細な説明】
【技術分野】
【０００１】
本発明は、電動工具に関する。特に電動工具のスイッチに関する。
【背景技術】
【０００２】
電動工具のスイッチには、スイッチレバーを操作しただけではオン状態にならないようになっているものがある。このようなスイッチは一般にオフロックスイッチと呼ばれている。例えば、日立工機株式会社の製品Ｇ１２ＳＥ２などが、このオフロックスイッチを有している。
【発明の概要】
【発明が解決しようとする課題】
【０００３】
上記した日立工機株式会社の電動工具のオフロックスイッチは、スイッチレバーに設けられたオフロックレバーを操作することによって、スイッチレバーを操作することが出来るようになっている。
【０００４】
このオフロックスイッチの操作性を高めるため、新しい構造を採用し電動工具の外枠（ハウジング）が延びる方向に延びるように、スイッチレバーを設けるようにした。また、このスイッチレバーの中ほどにオフロックレバーを設けるようにした。この場合に、スイッチレバーが撓んでしまうことによって、不意にスイッチがオンしてしまい、無駄な電力の消費をしてしまう場合があった。
【０００５】
本発明の目的は、電動工具のスイッチレバーが撓みにくい、無駄な電力の消費が少なくなる電動工具を提供することである。
【０００６】
また、本発明の目的は、不意にスイッチがオンすることが少ない、無駄な電力の消費が少なくなる電動工具を提供することである。
【課題を解決するための手段】
【０００７】
上記の目的は、モータと、前記モータを収容するハウジングと、前記モータへと給電を行うスイッチと、前記ハウジングに対して移動可能に設けられ、前記スイッチを操作可能なスイッチレバーと、前記スイッチレバーに対して移動可能に設けられるオフロックレバーと、を有する電動工具であって、前記オフロックレバーは前記モータの軸方向に延びており、前記スイッチレバーには前記オフロックレバーを操作する操作部が設けられており、
前記オフロックレバーは、前記ハウジングと係合する第１の係合部及び第２の係合部を有し、前記第２の係合部は、前記第１の係合部及び前記操作部から前記モータの軸方向に離間していることを特徴とする電動工具によって達成することができる。
更に上記の目的は、モータと、前記モータを収容するハウジングと、前記ハウジングの一端側に設けられるギヤ部と、前記ギヤ部に接続される先端工具保持部と、前記ハウジングの他端側に設けられる給電部と、前記給電部と前記モータの間に設けられるスイッチと、前記ハウジングに対して移動可能に設けられ、前記スイッチを操作可能なスイッチレバーと、前記スイッチレバーに対して移動可能に設けられ、前記モータの軸方向に延びるオフロックレバーと、を有する電動工具であって、前記オフロックレバーの操作部を、前記スイッチレバーの一端側と他端側の中ほどに設け、前記オフロックレバーの他端側の端部を、前記ハウジングの他端側と係合可能に設けたことを特徴とする電動工具によっても、達成することができる。
更に上記の目的は、モータと、前記モータへと給電を行うスイッチと、前記モータを収容し、前後方向に延びるハウジングと、前記ハウジングに移動可能に設けられ、前記スイッチを操作可能なスイッチレバーと、前記スイッチレバーに対して移動可能に設けられ、前記モータの軸方向に延びるオフロックレバーと、を有する電動工具であって、前記オフロックレバーは、前記オフロックレバーを操作する操作部と、前記モータの軸方向に離間した位置に配置される係合部とを有し、前記係合部は、前記ハウジングと係合可能であることを特徴とする電動工具によっても達成することができる。
【発明の効果】
【０００８】
請求項１の電動工具によれば、オフロックレバーがハウジングと係合する部分を２つ有するので、スイッチレバーがハウジングに対してしっかりと移動できなくすることができる。このため、不意にスイッチがオンすることが少なくなる。
【０００９】
請求項２の電動工具によれば、オフロックレバーの他端側の端部が、ハウジングの他端側と係合するので、不意にスイッチがオンすることが少なくなる。また、オフロックレバーを容易に操作することができるようになる。
【図面の簡単な説明】
【００１０】
【図１】本発明の一実施形態を示す電動工具の一部断面図である。
【図２】図３のＡ−Ａ線矢視状態を示す図である。
【図３】図２のＡ−Ａ線矢視図である。
【図４】図１の状態からスイッチレバー２０を操作した状態を示す電動工具の一部断面図である。
【図５】図６のＢ−Ｂ線矢視状態を示す図である。
【図６】Ｂ−Ｂ線矢視図である。
【発明を実施するための形態】
【００１１】
【実施例１】
【００１２】
本発明の第１の実施形態を図１から図６を参照しながら、説明する。
【００１３】
なお、図中に矢印で前後方向及び上下方向を示している。
【００１４】
図１には、本発明の一実施形態である電動工具の例として、電動グラインダを示している。
【００１５】
この電動グラインダは、ハウジング１を有する。このハウジング１は、樹脂により構成されるモータハウジング１Ａと、金属により構成されるギヤカバー１Ｂと、樹脂により構成されるテールカバー１Ｃとを有する。ギヤカバー１Ｂの後方にモータハウジング１Ａが設けられており、モータハウジング１Ａの後方にテールカバー１Ｃが設けられている。
【００１６】
ギヤカバー１Ｂは、筒状をしているモータハウジング１Ａに図示しない４本のねじで固定されている。
【００１７】
モータハウジング１Ａは、その内部に電動モータ２を収容している。また、モータ２の回転軸には、冷却のためのファン３が固定されている。ファン３の前方であって、モータ２の回転軸には、ピニオンギヤ（歯車）４が固定されている。このモータ２の回転軸は、ギヤカバー１Ｂに回転可能に保持されている。
【００１８】
ギヤカバー１Ｂには、ファン３と空間的につながっており、且つギヤカバー１Ｂの外部とつながっている排気口が設けられている。
【００１９】
ピニオンギヤ４とベベルギヤ（傘歯車）５は噛み合っている。このベベルギヤ５に固定されるように、スピンドル６が設けられている。このように、ピニオンギヤ４とベベルギヤ５とによって、モータの２の回転は、９０度ずれた方向であるスピンドル６の回転となっている。このスピンドル６は、ギヤカバー１Ｂに回転可能に２箇所で保持されている。
【００２０】
スピンドル６の下部には、先端工具保持部７が固定されている。この先端工具保持部７によって、先端工具である砥石８が先端工具保持部７に回転不能に保持されている。
【００２１】
砥石８の後部の約半分を覆うようにホイールガード９が設けられている。このホイールガード９は、ギヤカバー１Ｂに固定されている。
【００２２】
モータハウジング１Ａの後部には、テールカバー１Ｃが固定されている。このテールカバー１Ｃは、前後方向及び上下方向と直交する方向である左右方向に分割できる構造となっており、複数のねじで左右方向に固定されている。
【００２３】
テールカバー１Ｃの内部には、スイッチ１１が収容されている。このスイッチ１１は、テールカバー１Ｃに固定されている。スイッチ１１の後部より、突出部１１Ａが突出している。この突出部１１Ａが下方向に位置することにより、スイッチ１１がオフする。また、この突出部１１Ａが上方向に位置することにより、スイッチ１１がオンする。
【００２４】
テールカバー１Ｃの後部より、コード１２が突出している。このコード１２には、商用のコンセントに差し込み可能なプラグが接続されている。このコード１２とスイッチ１１は接続されており、コンセントの電力がスイッチ１１へと供給可能となっている。
【００２５】
前後方向に延びるように、スイッチレバー２０が設けられている。スイッチレバー２０は、モータハウジング１Ａの前部であって、下部にヒンジ部２０Ａを介して保持されている。また、スイッチレバー２０は、モータハウジング１Ａに対して、ヒンジ部２０Ａを回転中心として、ある範囲の角度だけ回転可能である。
【００２６】
スイッチレバー２０の中ほどには、オフロックレバー２１が保持されている。オフロックレバー２１には、下部にツマミ２１Ａが設けられており、上部に係合部２１Ｂが設けられている。
【００２７】
上記した係合部２１Ｂは、テールカバー１Ｃの係合部１Ｃ１と係合可能となっている。図１の状態では、オフロックレバー２１が後方に位置しているため、係合部２１Ｂと係合部１Ｃ１は係合した状態となっている。
【００２８】
オフロックレバー２１とスイッチレバー２０とに挟まれるように、付勢手段である第１のスプリング（ばね）２２が設けられている。このばねはコイルスプリングとしているが、弾性ゴムなどでもよい。
【００２９】
オフロックレバー２１は、第１のスプリング２２によって後方へと付勢されている。スイッチレバー２１の中ほどには、溝２０Ｂが設けられており、オフロックレバー２１は、この溝２０Ｂによって、図１の状態から前方へと移動できるようになっている。すなわち、作業者が、オフロックレバー２１へと前方へと力を掛けると、第１のスプリング２２を圧縮し、オフロックレバー２１を前方へと移動させることが出来るようになっている。
【００３０】
オフロックレバー２１の後部にはキー２３が固定されている。キー２３には、係合部２３Ａが設けられている。キー２３は、オフロックレバー２１より後方へと延びており、後述する押棒２４の穴部２４Ｂを貫通している。このように、押棒の穴部２４Ｂでキー２３の前後方向へと移動を案内できるようになっている。また、キー２３の後部２３Ｂは、テールカバー１Ｃの穴部１Ｃ２へと挿入可能となっている。
【００３１】
前記したとおり、オフロックレバー２１とキー２３は固定されているので、オフロックレバー２１が前方へと移動した際には、キー２３も前方へと移動するようになっている。
【００３２】
スイッチレバー２０の後部には、突起部２０Ｃが設けられている。この突起部２０Ｃは、テールカバーの１Ｃ２が設けられる部材と係合可能になっている。このため、突起部２０Ｃによって、スイッチレバー２０がハウジング１から離脱できないようになっている。
【００３３】
押棒２４は、付勢手段である第２のスプリング（ばね）２５が設けられている。この第２のスプリング２５は、テールカバー１Ｃの壁部１Ｃ３と押棒２４に挟まれるように設けられている。この第２のスプリング２５によって、押棒２４は、下方へと付勢されている。
【００３４】
押棒２４は、下端２４Ａでスイッチレバー２０と接触している。このため、スイッチレバー２０が上方へと移動した場合には、押棒２４も上方へと移動するようになっている。
【００３５】
押棒２４には、穴部２４Ｃが設けられている。この穴部２４Ｃには、突出部１１Ａが挿入されている。このため、押棒２４が上方へと移動した場合には、突出部１１Ａも上方へと移動するようになっている。押棒２４が上方へ移動する際には、テールカバー１Ｃの上下方向に延びるガイド部１Ｃ４が押し棒２４を案内するようになっている。
【００３６】
図３に、図２のＡ−Ａ線矢視図を示す。
【００３７】
スイッチレバー２０の前部には、ヒンジ部２０Ａが設けられている。また、スイッチレバー２０の後部には、突起部２０Ｃが設けられている。この突起部２０Ｃは、穴１Ｃ２が設けられる部材と上下方向で重なるようになっており、突起部２０Ｃが上方に配置されている。
【００３８】
また、係合部２１Ｂは、突起１Ｃ１と上下方向で重なるようになっており、突起１Ｃ１が上方に配置されている。
【００３９】
キー２３の係合部２３Ａは、左右方向から係合部２１Ｂへと接続されており、固定されている。
【００４０】
次に、本発明の一実施形態の動作について、図３、図４を参照しながら説明する。
【００４１】
作業者が、コード１２の端部にあるプラグを商用コンセントに差し込む。その状態で、オフロックレバー２１のツマミ２１Ａを指などで保持し、前方へと力を掛ける。すると、第１のスプリング２２が前方へと圧縮力を受け、第１のスプリング２２が圧縮する。このため、オフロックレバー２１は前方へと移動する。この移動によって係合部２１Ｂと突起１Ｃ１との係合が外れる。このため、スイッチレバー２０は上方へと移動可能となる。
【００４２】
また、オフロックレバー２１に固定されているキー２３も前方へと移動するため、キー２３の後部２３Ｂが、テールカバー１Ｃの穴部１Ｃ２へと挿入されていた状態から、挿入されていない状態となる。このため、スイッチレバー２０は上方へと移動可能となる。
【００４３】
（なお、図１の状態では、係合部２１Ｂと突起１Ｃ１との係合しており、また、キー２３の後部２３Ｂが、テールカバー１Ｃの穴部１Ｃ２へと挿入されているので、スイッチレバー２０は、上方への移動が規制されている。）
作業者がスイッチレバー２０を指などで保持し、上方へと力を掛けると、スイッチレバー２０が上方へと移動する。スイッチレバー２０に伴い、押棒２４も上方へと移動する。この状態が図３である。
【００４４】
上記したとおり、オフロックレバー２１がスイッチレバー２０の中ほどに設けられているので、作業者はオフロックレバー２１を容易に操作することができるようになる。
【００４５】
押棒２４がスイッチレバー２０より上方へと力を受けると、第２のスプリング２５が上方へと力を受け圧縮する。このため、押棒２４は、上方へと移動する。この押棒２４の移動によって、突出部１１Ａも上方へと移動する。この突出部１１Ａの上方への移動によって、スイッチ１１がオンし、商用コンセントの電力がモータ２へと供給されるようになる。
【００４６】
モータ２へと電力が供給されると、モータ２が回転しファン３及びピニオンギヤ３を回転させる。
【００４７】
ピニオンギヤ４は、ベベルギヤ５を回転させる。このベベルギヤ５に固定されているスピンドル６も回転する。このスピンドルの下部に設けられている先端工具保持部７も回転し、先端工具保持部７に保持されている砥石８も回転する。砥石８は、図示していない被削材（例えば金属、コンクリート、木材など）を研削する。砥石８の後部は、ホイールガード９によって覆われているので、研削された金属粉、コンクリートの粉塵、木材の切粉などは、スイッチレバー２０側へとは案内されないようになっている。
【００４８】
作業者が研削をやめる場合には、スイッチレバー２０を保持していた指などを離し、スイッチレバー２０を上方へとかけていた力をなくせばよい。このことによって、第２のスプリング２５の圧縮されていた力によって押棒２４が上方へと移動する。これによって、穴部２４Ｃに挿入されている突出部１１Ａも上方へと移動する。このため、商用コンセントからモータ２へと供給されていた電力が供給されなくなる。このため、モータ２は回転しなくなる。
【００４９】
更に、ツマミ２１Ａを保持していた指を離し、前方へと掛けていた力をなくせばよい。このことによって、第１のスプリングを圧縮していた力によって、オフロックレバー２３が後方へと移動する。このため、係合部２１Ｂと突起部１Ｃ１とが係合するようになる。また、オフロックレバー２３の移動によって、キー２３が後方へと移動する。キー２３の後方への移動によって後部２３Ｂが、穴部１Ｃ２へと挿入される。
【００５０】
図１に示すように、しっかりとスイッチレバー２０が上方へと移動しないようにすることができるようになる。
【００５１】
図６に図５のＢ−Ｂ線矢視図を示す。
【００５２】
後部２３Ｂが穴部１Ｃ２に挿入されていない状態となっている。また、係合部２１Ｂと突起部１Ｃ１とが上下方向で係合しないようになっている。
【００５３】
本発明の一実施形態の電動工具として、電動グラインダをもとに発明の説明を行った。しかし、電動工具であれば、電動グラインダに限るものではない。例えば、電動ねじ締め機（電動ドライバ、電動インパクトドライバ）などであってもよい。この場合には、先端工具保持部に保持される先端工具は、ビットなどとなる。また、電動のこぎり（電動セーバソー）などであってもよい。この場合には、先端工具保持部に保持される先端工具は、切断ブレードなどとなる。
【００５４】
また、本発明の一実施形態の電力の供給方法として、コードを用いるようにした。しかし、電力の供給方法は、コードを用いる必要はなく、例えば、繰返し充電が可能な蓄電池（リチウムイオン、ニッケル水素などを用いたもの）によって、電力を供給するものであってもよい。
【符号の説明】
【００５５】
１Ａ  モータハウジング、１Ｂ  ギヤカバー、１Ｃ  テールカバー
２  モータ、３  ファン、４  ピニオンギヤ、５  ベベルギヤ、６  スピンドル、
７  先端工具保持部、８  先端工具、９  ホイールガード
１１  スイッチ、１２  コード
２０  スイッチレバー、２１  オフロックレバー、２２  第１のスプリング、
２３  キー、２４  押棒、２５  第２のスプリング
３０  オンロックレバー
【図１】
0005471573.tif 000002
【図２】
0005471573.tif 000003
【図３】
0005471573.tif 000004
【図４】
0005471573.tif 000005
【図５】
0005471573.tif 000006
【図６】
0005471573.tif 000007